(57)【要約】    【課題】案内通路に変更を加える簡単な構造で入賞手段全体の上下方向の寸法を小型化できると共に、遊技盤側の取り付け孔の加工時のバリ等に関係なく案内通路により遊技球を円滑に案内できるようにする。    【解決手段】遊技盤７の取り付け孔４９に嵌合して装着された入賞手段１５を備え、この入賞手段１５は遊技盤７の前側の入賞口３７から入賞した遊技球を遊技盤７の裏側に案内する案内通路３９を、取り付け孔４９の周壁６１の下部側に近接して配置する。案内通路３９はその少なくとも後部側に遊技球を案内する左右一対の案内レール６２を備え、案内レール６２間の少なくとも後端を含む後部側に上下に開放状の開放部６５を設け、案内レール６２の下側の周壁６１に、下側へと凹入する凹部７９を開放部６５に対応して設ける。【選択図】図５
2011139915.tif 000002
【特許請求の範囲】
【請求項１】
遊技盤（７）の取り付け孔（４９）に嵌合して装着された入賞手段（１５）を備え、該入賞手段（１５）は前記遊技盤（７）の前側の入賞口（３７）から入賞した遊技球を前記遊技盤（７）の裏側に案内する案内通路（３９）を、前記取り付け孔（４９）の周壁（６１）の下部側に近接して備えた弾球遊技機において、前記案内通路（３９）はその少なくとも後部側に遊技球を案内する左右一対の案内レール（６２）を備え、該案内レール（６２）間の少なくとも後端を含む後部側に上下に開放状の開放部（６５）を設け、前記案内レール（６２）の下側の前記周壁（６１）に、下側へと凹入する凹部（７９）を前記開放部（６５）に対応して設けたことを特徴とする弾球遊技機。
【請求項２】
前記入賞口（３７）を開閉する開閉部材（４６）と、前記案内通路（３９）の後部の上側近傍に配置され且つ前記開閉部材（４６）を開閉駆動する開閉駆動手段（４７）とを備え、前記案内通路（３９）は少なくとも前記開閉駆動手段（４７）の下側に対応する部分に前記案内レール（６２）を備えたことを特徴とする請求項１に記載の弾球遊技機。
【請求項３】
前記取り付け孔（４９）は前記遊技盤（７）に対して略直角に孔加工された前後方向の周壁（６１）と、該周壁（６１）の下側後部に段付き状に加工された前記凹部（７９）とを有することを特徴とする請求項１又は２に記載の弾球遊技機。
【請求項４】
前記案内通路（３９）はその略全長に前記案内レール（６２）を有し、該案内レール（６２）間の間隔は前記案内通路（３９）の前部側よりも後部側が大であることを特徴とする請求項１〜３の何れかに記載の弾球遊技機。
【発明の詳細な説明】
【技術分野】
【０００１】
本発明は、パチンコ機等の弾球遊技機に関し、遊技盤の取り付け孔に嵌合して装着された入賞手段の案内通路と取り付け孔の周壁との相対構造に関するものである。
【背景技術】
【０００２】
パチンコ機等の弾球遊技機は、遊技盤の遊技領域の略中央に画像表示手段を配置し、この画像表示手段と遊技領域の最下部のアウト球口との間に特別図柄始動手段と大入賞手段とを上下に配置し、その特別図柄始動手段に遊技球が入賞したときにその遊技球を検出して特別図柄表示手段の特別図柄が所定時間変動し、変動後の特別図柄が大当たり図柄で停止したときに大入賞手段が開放して多数の遊技球が入賞し易くなり、その入賞数に応じて多数の遊技球を賞球として払い出すようになっている。
【０００３】
特別図柄始動手段は常時開放式の入賞口と、開閉部材により開閉される開閉式の入賞口とを遊技盤の前側に上下に配置すると共に、各入賞口の後方側の上下に、各入賞口に入賞した遊技球を遊技盤の裏側へと案内する樋状の案内通路を配置し、この上下の案内通路間に開閉部材を開閉する開閉駆動手段を配置して、何れの入賞口に遊技球が入賞したときにも特別図柄が変動するようにしている（特許文献１）。
【先行技術文献】
【特許文献】
【０００４】
【特許文献１】特開２００４−２４９１４２号公報
【発明の概要】
【発明が解決しようとする課題】
【０００５】
近年の弾球遊技機では、遊技領域を拡大して大型の画像表示手段を配置する一方、画像表示手段の画像表示部の側方等に大型の可動式演出手段等を設ける傾向にある。このため画像表示手段等の大型化に伴って遊技球の転動領域が著しく制限され、その狭い領域に特別図柄始動手段、大入賞手段等の遊技部品を接近させて配置する必要があり、特別図柄始動手段の小型化が望まれている。
【０００６】
しかし、従来の特別図柄始動手段は上下の案内通路に樋状のものを使用し、その案内通路を経て遊技盤の裏側へと遊技球を案内するようにしている。従って、案内通路の通路面上を遊技球が転動することになり、通路面の上側には必ず遊技球の直径分以上の高さの球通過空間を確保する必要がある。このため下側の案内通路の後部上側に開閉駆動手段を配置する場合には、下側の案内通路の通路面から開閉駆動手段までの間隔が大になり、特別図柄始動手段の全体の上下方向の寸法を小型化し難いという問題がある。
【０００７】
本発明は、このような問題点に鑑み、案内通路に変更を加える簡単な構造で入賞手段全体の上下方向の寸法を小型化できると共に、遊技盤側の取り付け孔の加工時のバリ等に関係なく案内通路により遊技球を円滑に案内できる弾球遊技機を提供することを目的とする。
【課題を解決するための手段】
【０００８】
本発明は、遊技盤７の取り付け孔４９に嵌合して装着された入賞手段１５を備え、該入賞手段１５は前記遊技盤７の前側の入賞口３７から入賞した遊技球を前記遊技盤７の裏側に案内する案内通路３９を、前記取り付け孔４９の周壁６１の下部側に近接して備えた弾球遊技機において、前記案内通路３９はその少なくとも後部側に遊技球を案内する左右一対の案内レール６２を備え、該案内レール６２間の少なくとも後端を含む後部側に上下に開放状の開放部６５を設け、前記案内レール６２の下側の前記周壁６１に、下側へと凹入する凹部７９を前記開放部６５に対応して設けたものである。
【発明の効果】
【０００９】
本発明によれば、案内通路３９に変更を加える簡単な構造で入賞手段１５全体の上下方向の寸法を小型化できると共に、遊技盤７側の取り付け孔４９の加工時のバリ等に関係なく案内通路３９により遊技球を円滑に案内できる利点がある。
【発明を実施するための最良の形態】
【００１０】
以下、本発明の実施形態を図面に基づいて詳述する。図１〜図９は本発明をパチンコ機に採用した第１の実施形態を例示している。図１において、１は遊技機本体で、矩形状の外枠２と、この外枠２の前側にヒンジ３廻りに開閉自在に枢着された前枠４とを備えている。
【００１１】
前枠４の前側にはヒンジ３と略同一軸心上のヒンジ（図示省略）廻りに開閉自在なガラス扉５と開閉扉６とが上下に配置されている。前枠４にはガラス扉５の裏側に対応して遊技盤７が着脱自在に装着され、また開閉扉６の裏側に対応して発射手段８が装着されている。開閉扉６には発射用の遊技球を貯留する球供給皿９と、発射手段８の作動用の発射ハンドル１０とが設けられている。発射手段８は発射ハンドル１０を操作したときに作動して、球供給皿９から供給される遊技球を１個ずつ遊技盤７側へと発射させるようになっている。
【００１２】
遊技盤７にはガラス扉５の窓孔に対応してガイドレール１１と遊技領域１２とが設けられている。ガイドレール１１は発射手段８から発射された遊技球を遊技領域１２の上部側へと案内するようになっている。
【００１３】
遊技領域１２には上下方向の略中央に画像表示手段１３が配置され、この画像表示手段１３と遊技領域１２の最下部のアウト球口１４との間に特別図柄始動手段１５、大入賞手段１６が上下方向に互いに近接して配置されている。また遊技領域１２には画像表示手段１３の側方に普通図柄始動手段１７が、大入賞手段１６の左右両側に普通入賞手段１８が夫々配置されている。
【００１４】
画像表示手段１３は演出画像の表示用であって、演出図柄１９、その他の演出画像を表示する液晶式等の画像表示部２０と、この画像表示部２０を支持する表示ケース２１とを備えている。遊技領域１２には表示ケース２１の一部等の適当箇所に普通図柄表示手段２２、特別図柄表示手段２３が設けられている。
【００１５】
普通図柄表示手段２２は例えば２個の表示素子２２ａ，２２ｂを備え、普通図柄始動手段１７が遊技球を検出することを条件に表示素子２２ａ，２２ｂが所定時間交互に点滅発光し、その一方の表示素子２２ａが発光状態で停止したときに当たりとなり、他方の表示素子２２ｂが発光状態で停止したときに外れとなる。
【００１６】
特別図柄表示手段２３は例えば７セグメント式等の表示手段により構成され、特別図柄始動手段１５が遊技球を検出することを条件に特別図柄を所定時間変動表示し、変動後に特別図柄が大当たり図柄、外れ図柄の何れかで停止するようになっている。なお、画像表示手段１３の演出図柄１９は特別図柄と同期して停止するようになっており、特別図柄が大当たり図柄で停止したときには３個が一致又は同種の大当たり図柄を停止表示し、外れ図柄で停止したときには外れ図柄を停止表示する。
【００１７】
大入賞手段１６は図２、図４、図５に示すように大入賞口２４が形成された前飾り板２５と、この前飾り板２５の裏側に設けられた入賞ケース２６と、入賞ケース２６の前端下部が左右方向の支軸により枢支され且つ大入賞口２４を開閉する開閉板２７と、開閉板２７を開閉駆動するソレノイド等の開閉駆動手段２８と、入賞ケース２６の後部側に装着された入賞検出スイッチ（図示省略）とを備えている。
【００１８】
そして、この大入賞手段１６は特別図柄表示手段２３の変動後の特別図柄が大当たり図柄で停止したときに、図５に二点鎖線で示すように開閉板２７が前上がり状に回動して大入賞口２４を開放し、上方から開閉板２７上に落下する遊技球を開閉板２７を経て大入賞口２４へと案内し、またその入賞した遊技球を遊技盤７の裏側に排出するようになっている。
【００１９】
大入賞手段１６は前飾り板２５が遊技盤７の前面に着脱自在に装着され、入賞ケース２６、開閉駆動手段２８が遊技盤７の取り付け孔３０に嵌合して裏側へ突出している。入賞ケース２６の後部側上面には、上側の特別図柄始動手段１５から落下する遊技球を後方へと案内して落下させる案内樋２９が設けられている。なお、案内樋２９は入賞ケース２６の左右方向の略中央に配置されているが、左右方向の一方に偏位して設けてもよい。
【００２０】
特別図柄始動手段１５は図２〜図９に示すように、遊技盤７に前側から装着された前本体部３４と、この前本体部３４に対向して遊技盤７に裏側から着脱自在に装着された後部ケース３５とを備えている。
【００２１】
前本体部３４には入賞口３６，３７と、この入賞口３６，３７から入賞した遊技球を遊技盤７の裏側へと案内する案内通路３８，３９とが設けられている。また後部ケース３５には案内通路３８，３９からの遊技球を遊技盤７の裏側で所定方向に案内して落下させる裏案内通路４０，４１と、この裏案内通路４０，４１を通過する遊技球を検出する入賞検出スイッチ４２，４３とが設けられている。
【００２２】
前本体部３４は前飾り板４５と、この前飾り板４５の前側に設けられた上下２個の入賞口３６，３７と、前飾り板４５の後側に設けられた上下２個の案内通路３８，３９と、下側の入賞口３７を開閉する開閉部材４６と、案内通路３８，３９間に配置され且つ開閉部材４６を開閉駆動する開閉駆動手段４７と、この開閉駆動手段４７上に配置され且つ上側の案内通路３８の後端に接続された屈曲案内通路４８とを備え、前飾り板４５が遊技盤７の前面に着脱自在に装着され、案内通路３８，３９、開閉駆動手段４７が遊技盤７の取り付け孔４９に嵌合して遊技盤７の裏側に突出している。なお、取り付け孔４９の前端は前飾り板４５により塞がれている。
【００２３】
後部ケース３５は屈曲案内通路４８を覆う通路カバー５０と、屈曲案内通路４８からの遊技球をその一側で落下させる落下通路５１と、この落下通路５１からの遊技球を遊技盤７に沿って横方向に案内する横案内通路５２と、落下通路５１の途中に配置された入賞検出スイッチ４２と、下側の案内通路３８の後端に接続される裏案内通路４１と、この裏案内通路４１の途中に配置された入賞検出スイッチ４３とを備え、落下通路５１、横案内通路５２等により裏案内通路４０が構成されている。なお、後部ケース３５には裏案内通路４１と通路カバー５０との間に、横案内通路５２の反対側から横方向に凹入し且つ開閉駆動手段４７及び屈曲案内通路４８が収まる凹所５３が設けられている。
【００２４】
２個の入賞口３６，３７は前飾り板４５から遊技盤７の前側に突出している。上側の入賞口３６は常時開放式であり、下側の入賞口３７は左右一対の開閉部材４６により開閉される開閉式である。下側の入賞口３７は左右方向の略中央に遊技球を後方へと案内する入賞通路５４を有し、この入賞通路５４は左右一対の案内板５５により構成されている。なお、入賞通路５４は遊技球を後方へと案内するものであれば、案内板５５のないものでもよい。
【００２５】
開閉部材４６は入賞口３７の入賞通路５４の左右両側に配置され、前飾り板４５とその前側の入賞口ケース５６との間に挿支された後方向の枢軸５７により開閉揺動自在に枢支され、左右両側に開放したときに開閉部材４６上に落下する遊技球を入賞通路５４へと案内するようになっている。なお、開閉部材４６は枢軸５７よりも内側に係合突起５８が設けられている。また入賞口３７は前飾り板４５と入賞口ケース５６との間に形成されている。
【００２６】
各案内通路３８，３９は各入賞口３６，３７からの遊技球を遊技盤７の裏側へと案内するためのもので、前飾り板４５の裏側に設けられた支持ケース５９の上側に案内通路３８が、また支持ケース５９内に案内通路３９が夫々設けられている。なお、支持ケース５９、案内通路３８，３９は前飾り板４５の裏側に一体に成型されているが、別体に成型して固定してもよい。
【００２７】
上側の案内通路３８は前後方向に長い樋状に構成され、この案内通路３８からの遊技球は屈曲案内通路４８、落下通路５１、横案内通路５２を経て遊技盤７の裏側で横方向に案内され、横案内通路５２の先端から大入賞手段１６の入賞ケース２６の側方を経て下方に落下する。
【００２８】
支持ケース５９の底部側は取り付け孔４９の周壁６１の下側部分に近接して配置されており、この支持ケース５９の下側に案内通路３９が前後方向に設けられている。このため案内通路３９は周壁６１の下側部分に近接している。
【００２９】
下側の案内通路３９は左右に間隔を置いて配置された左右一対の案内レール６２を備えている。そして、案内通路３９の前部側、即ちこの案内通路３９の後部上側に配置された開閉駆動手段４７よりも前側では、一対の案内レール６２間に底板６３が配置されており、この底板６３と一対の案内レール６２とにより案内通路３９の前部側が樋状に構成されている。
【００３０】
また案内通路３９の後部側、即ち開閉駆動手段４７の下側に対応する部分には、一対の案内レール６２間に下側に開放する開放部６５が設けられている。そして、案内通路３９の後部側では、両案内レール６２の相対向する球案内部６４ｂにより、遊技球の下部がこの球案内部６４ｂよりも下側に突出した状態で遊技球を案内するようになっている。開放部６５は案内レール６２の後端を含んで、案内通路３９の後部側に設けられている。
【００３１】
案内レール６２は案内通路３９の左右両側から起立する側壁部６２ａとを一体に備えた背面視略Ｌ字状であり、後下がりに若干傾斜状に配置されている。また案内レール６２の球案内部６４ｂには面取りが施されている。
【００３２】
開閉駆動手段４７は保持ケース６６内に収容されたソレノイド６７を備え、また保持ケース６６は上下の案内通路３８，３９に対応して支持ケース５９の裏側に固定されている。保持ケース６６の上側に屈曲案内通路４８が設けられている。なお、屈曲案内通路４８は後部ケース３５側に設けてもよい。
【００３３】
ソレノイド６７のプランジャー６８は前側に突出し、その前端部の操作具６９を介して開閉部材４６を開閉操作するようになっている。プランジャー６８はバネ７０により突出方向に付勢されている。操作具６９は案内通路３９の上側で支持ケース５９内に配置されると共に、上下方向の中間部で左右方向の支軸７１により揺動自在に枢支されている。
【００３４】
操作具６９は支軸７１よりも前側で各開閉部材４６の係合突起５８を上下両側から挟む左右一対の操作部７２を有し、プランジャー６８の前後移動により支軸７１廻りに回動して開閉部材４６を枢軸５７廻りに回動させるようになっている。なお、開閉部材４６は、通常はバネ７０により枢軸５７廻りに起立して入賞口３６，３７を閉鎖している。操作部７２は案内通路３９の左右両側に配置されている。
【００３５】
屈曲案内通路４８は案内通路３８からの遊技球を遊技盤７に沿ってその一側の落下通路５１側に屈曲させて案内するためのもので、通路カバー５０により覆われている。横案内通路５２は落下通路５１からの遊技球を大入賞手段１６の左右方向の一側方へと案内して落下させるためのものである。落下通路５１、横案内通路５２の裏側は後壁７４により塞がれている。入賞検出スイッチ４２は落下通路５１の途中で後部ケース３５に形成された保持部７５に挿脱自在に挿入され、係止爪７６により係止されている。
【００３６】
裏案内通路４１は案内通路３９に接続して後ろ下方へと斜め方向に形成され、案内通路３９からの遊技球を大入賞手段１６の案内樋２９上へと案内し落下させるようになっている。入賞検出スイッチ４３は裏案内通路４１の途中で後部ケース３５に形成された保持部７７に挿脱自在に挿入され、係止爪７８により係止されている。入賞検出スイッチ４３は裏案内通路４１が後ろ下方に傾斜しているため、この裏案内通路４１を横切るように前下がりに斜め方向に配置されている。なお、後部ケース３５と大入賞手段１６の入賞ケース２６は上下に近接して配置されている。
【００３７】
特別図柄始動手段１５用の取り付け孔４９は案内通路３８，３９、支持ケース５９等を含む前本体部３４側の形状に対応して遊技盤７に前後方向に貫通状に形成されている。取り付け孔４９は遊技盤７の遊技領域１２に対して前後方向に略直角に孔加工された周壁６１と、案内レール６２の下側の周壁６１に開放部６５に対応して配置され且つ下側へと凹入して形成された凹部７９とを有する。
【００３８】
周壁６１は遊技盤７の前後両面に跨がって前面側（遊技領域１２側）から孔加工されている。凹部７９は遊技盤７の裏面側から遊技盤７の厚さ方向の中間部、例えば遊技盤７の後部側に背面視円弧状に凹入して形成されており、下部側の周壁６１に対して段付き状になっている。このため取り付け孔４９は案内レール６２の下側が下方に凹んだ形状になっている。なお、周壁６１、凹部７９を含む取り付け孔４９の孔加工はルータ等の回転工具が使用される。
【００３９】
上記構成のパチンコ機において、遊技領域１２の上部から落下する遊技球が普通図柄始動手段１７を通過すると、普通図柄表示手段２２の普通図柄が点滅して所定時間変動する。そして、変動後の普通図柄が当たり図柄で停止すれば、特別図柄始動手段１５の開閉駆動手段４７が作動し、左右一対の開閉部材４６が上広がり状に揺動して入賞口３７が開放される。即ち、開閉部材４６は通常バネ７０により閉状態に保持されている。そこで、開閉駆動手段４７のソレノイド６７が励磁すると、プランジャー６８がバネ７０に抗して後退して操作具６９が支軸７１廻りに図５のように時計方向に回動するため、操作部７２、係合突起５８を介して開閉部材４６が枢軸５７廻りに開方向に傾動し、入賞口３７を開放する。
【００４０】
特別図柄始動手段１５は常時開放式の入賞口３６と開閉式の入賞口３７とを上下に有し、その何れかの入賞口３６，３７に遊技球が入賞すれば、対応する入賞検出スイッチ４２，４３がその遊技球を検出する。
【００４１】
例えば、常時開放式の入賞口３６に遊技球が入賞すると、その遊技球は案内通路３８を経て遊技盤７の裏側へと案内される。そして、遊技球は屈曲案内通路４８で遊技盤７に沿って横方向へと向きを変えて案内されて落下通路５１内を下方に落下し、その落下中に入賞検出スイッチ４２を通過して検出される。
【００４２】
その後、遊技球は大入賞手段１６の上側近傍の横案内通路５２により遊技盤７の裏側に沿って横方向に案内された後、大入賞手段１６の入賞ケース２６の側方近傍を下方に落下する。このため入賞口３６に入賞した遊技球が、遊技盤７の裏側で大入賞手段１６上に落下することはない。
【００４３】
また開閉式の入賞口３７側では開閉部材４６が開状態になると、開閉部材４６上に落下する遊技球が入賞口３７へと入賞する。そして、その遊技球は一対の案内板５５上を経て案内通路３９側へと案内され、この案内通路３９により遊技盤７の裏側へと案内された後、裏案内通路４１を経て大入賞手段１６の入賞ケース２６上の案内樋２９上に落下し、この案内通路３９の後端から大入賞手段１６の後方側へと落下する。そして、遊技球は裏案内通路４０，４１の途中で入賞検出スイッチ４３を通過して検出される。
【００４４】
入賞検出スイッチ４２，４３の何れかが遊技球の入賞を検出すると、主制御基板（図示省略）で大当たり、外れの抽選が行なわれ、その抽選結果に応じて演出制御基板（図示省略）の制御により、特別図柄表示手段２３の特別図柄が所定時間変動して大当たり図柄、外れ図柄の何れかで停止する。また演出制御基板の制御により、特別図柄表示手段２３の特別図柄の変動等に同期して画像表示手段１３の演出図柄１９が所定時間変動して、大当たり図柄、外れ図柄に対応する演出図柄１９で停止する。そして、抽選結果が大当たりの場合には、特別図柄が大当たり図柄で停止した後に大入賞手段１６の開閉板２７が所定回数開閉する等、遊技者に有利な特別遊技に移行する。
【００４５】
下側の入賞口３７に入賞した遊技球を案内通路３９により遊技盤７の裏側に案内する際に、案内通路３９の前部側では底板６３と一対の案内レール６２とが樋状になっているため、その遊技球は図５、図７にｂ１に示すように底板６３上を転動して、この底板６３と左右の案内レール６２の何れか一方とにより案内される。
【００４６】
しかし、開閉駆動手段４７の下側を通過する後部側では一対の案内レール６２間が開放部６５となっているため、この一対の案内レール６２の球案内部６４ｂにより、図５、図７にｂ２に示すようにその一部が案内レール６２の球案内部６４ｂから下側に突出した状態で遊技球を案内する。このため左右の案内レール６２の傾斜角度が同じであるにも拘わらず、底板６３を通過した後の遊技球は、それまでの底板６３上を転動する場合に比較して下方に下がった状態で案内され、案内通路３９を図５に示すように軌跡ｂに沿って案内されることになる。
【００４７】
従って、案内通路３９の後部側では、この案内通路３９上を通過する遊技球の高さが案内通路３９の傾斜角度分以上に低くなるため、それだけ特別図柄始動手段１５の上下方向の寸法を小さくすることができる。
【００４８】
特に開閉駆動手段４７を案内通路３９の上側に配置する場合には、開閉駆動手段４７の下側で左右の案内レール６２によって遊技球を案内することにより、開閉駆動手段４７の下側を通過する遊技球の高さが低くなるため、開閉駆動手段４７の下側に遊技球の通過空間を十分に確保しながら、開閉駆動手段４７を案内通路３９に接近させて配置でき全体の上下方向の寸法を小さくすることができる。
【００４９】
しかも案内レール６２の球案内部６４ｂで遊技球を案内する後部側は、左右の案内レール６２間に開放部６５があるため、樋状の場合に比較して案内通路３９の後部側の上下方向の寸法を薄くすることができる。
【００５０】
このため案内通路３９を含む前本体部３４を合成樹脂材料により成型するに際して、例えば金型からの抜き取りを考慮して案内通路３９の下面の全体を略同じ高さにする場合にも、案内通路３９の下側への突出量を極力小さく抑えることができる。
【００５１】
また各案内通路３８，３９に接続する裏案内通路４０，４１と入賞検出スイッチ４２，４３とを前本体部３４から分離して後部ケース３５側に設け、この後部ケース３５を遊技盤７の裏側に装着しているので、入賞検出スイッチ４２，４３等が前本体部３４側にある場合に比較してその上下方向の寸法を小さくできる。
【００５２】
このように案内通路３９の後部側に、開放部６５介して案内レール６２を左右に設けた場合、案内通路３９を取り付け孔４９の下側の周壁６１と上下に近接して配置すれば、取り付け孔４９の孔加工時に後端縁側に発生するバリが遊技球に干渉する惧れがある。
【００５３】
しかし、案内レール６２の後部側に対応して取り付け孔４９の周壁６１に凹部７９を設けているため、遊技盤７の取り付け孔４９の加工時のバリ等に関係なく案内通路３８により遊技球を円滑に案内することができる。しかも、凹部７９は遊技盤７の裏側から段付き状に形成しているため、取り付け孔４９の前端側の開口が下側に大きくなるようなこともなく、前飾り板４５により取り付け孔４９の開口を確実に覆うことができる。
【００５４】
図１０〜図１３は本発明の第２の実施例を例示する。この実施例の案内通路３９は左右一対の案内レール６２を有し、その各案内レール６２には開閉駆動手段４７に対応する後部側の相対向する内側に切り欠き部８１が形成されている。従って、切り欠き部８１の前側の案内レール６２の球案内部６４ａ間の間隔と切り欠き部８１側の球案内部６４ｂ間の間隔は、図１３（Ａ）（Ｂ）に示すように前側に比して後側が大になっている。
【００５５】
なお、この実施例でも、案内通路３８，３９の前部側には一対の案内レール６２をその下側で接続する底板６３があるが、この底板６３は遊技球と接触しないようになっている。また案内通路３９の後部側には案内レール６２間に切り欠き部８１に対応して開放部６５が設けられている。
【００５６】
この実施例では、一対の案内レール６２は、案内通路３９の略全長にわたってその球案内部６４ａ，６４ｂにより遊技球を案内する。しかし、開閉駆動手段４７に対応する後部側では左右の案内レール６２の球案内部６４ｂ間の間隔が広くなっているため、この開閉駆動手段４７の下側を通過する遊技球は、第１の実施例と同様に低い位置を通過することになる。
【００５７】
図１４は本発明の第３の実施例を例示する。図１４は案内通路３８，３９の全長にわたって案内レール６２を設け、その相対向する球案内部６４ｂで遊技球を案内するようにしている。そして、図１４（Ａ）は両球案内部６４ｂを略平行とし、図１４（Ｂ）は両球案内部６４ｂを末広がり状にしている。
【００５８】
このように案内通路３９の全長にわたって案内レール６２を設ける場合にも、遊技盤７の取り付け孔４９の周壁６１側に形成される凹部７９は、案内通路３９の後部側、取り分け取り付け孔４９の孔加工時にバリが発生し易い後端部側に設ければよい。
【００５９】
以上、本発明の各実施例について詳述したが、本発明はこの各実施例に限定されるものではなく、本発明の趣旨を逸脱しない範囲で種々の変更が可能である。例えば、左右の案内レール６２間に開放部６５があって球案内部６４ｂにより遊技球を案内する区間は、案内通路３９の後部側で且つその上側に配置される開閉駆動手段４７と遊技球が干渉しない範囲であればよい。従って、実施例に例示のソレノイド６７のように、開閉駆動手段４７の本体部が他の部分より大きいか、又は下側への突出量が大きい場合には、その本体部よりも若干前側から後方にわたって設けるのが望ましい。
【００６０】
左右の案内レール６２の球案内部６４ｂにより遊技球を案内する区間は、その全長にわたって設けてもよいが、少なくとも案内通路３９の後部にあれば十分であり、後部を除く他の区間は樋状に構成してもよい。
【００６１】
実施例では入賞手段として特別図柄始動手段１５を例示しているが、特別図柄始動手段１５以外のものでもよい。また実施例では、上側に常時開放式の入賞口３６，３７を、下側に開閉部材４６により開閉可能な開閉式の入賞口３６，３７を備えたものを例示しているが、常時開放式の入賞口３６と開閉式の入賞口３７との何れか一方のみを備えた入賞手段でもよい。
【００６２】
常時開放式の入賞手段又は開閉式の入賞手段の場合にも、案内通路３８，３９の全長にわたって、下側が開放するように一対の案内レール６２を設けてもよいし、案内通路３８，３９がその下側の周壁６１に接近する後部側の、後端を含む所要範囲にのみ一対の案内レール６２を設けてもよい。
【００６３】
凹部７９は遊技盤７の裏側から加工するが、遊技盤７の前面近傍を除いて、案内通路３８，３９の樋状以外の部分の略全体に対応するように設けてもよいし、取り付け孔４９の後端縁から前側への一部範囲に設けてもよい。即ち凹部７９は案内レール６２の球案内部６４ｂの区間よりも長く設けるか、又は球案内部６４ｂの区間と略同じ長さとしてもよいし、球案内部６４ｂの区間の内その後部側にのみ設けてもよい。逆に凹部７９の前端を前飾り板４５で覆うだけの余裕がある場合には、凹部７９は遊技盤７の前後に貫通して形成してもよい。従って、凹部７９は案内レール６２の球案内部６４ｂの区間の少なくとも後部側にあればよい。
【００６４】
案内レール６２間の下側が開放状の区間は、球案内部６４ｂの区間の全体でもよいし、その区間の後部側のみでもよい。このため案内レール６２間の下側が開放状の区間は、少なくとも球案内部６４ｂの区間の後部側にあればよい。
【図面の簡単な説明】
【００６５】
【図１】本発明の第１の実施例を示すパチンコ機全体の正面図である。
【図２】同遊技盤の要部の正面図である。
【図３】同遊技盤の要部の平面断面図である。
【図４】同遊技盤の要部の背面図である。
【図５】同遊技盤の要部の側面断面図である。
【図６】同遊技盤の要部の平面断面図である。
【図７】同特別図柄始動手段の前本体部側の背面図である。
【図８】同特別図柄始動手段の分解斜視図である。
【図９】同特別図柄始動手段と遊技盤の取り付け孔との関係の分解斜視図である。
【図１０】本発明の第２の実施例を示す遊技盤の要部の側面断面図である。
【図１１】同特別図柄始動手段の前本体部側の背面図である。
【図１２】同特別図柄始動手段の前本体部側の斜視図である。
【図１３】同案内通路の説明図である。
【図１４】本発明の第３の実施例を示す案内通路の説明図である。
【符号の説明】
【００６６】
７  遊技盤
１５  特別図柄始動手段（入賞手段）
３７  入賞口
３９  案内通路
４６  開閉部材
４７  開閉駆動手段
４９  取り付け孔
６１周壁
６２  案内レール
６５  開放部
７９  凹部
【図１】
2011139915.tif 000003
【図２】
2011139915.tif 000004
【図３】
2011139915.tif 000005
【図４】
2011139915.tif 000006
【図５】
2011139915.tif 000007
【図６】
2011139915.tif 000008
【図７】
2011139915.tif 000009
【図８】
2011139915.tif 000010
【図９】
2011139915.tif 000011
【図１０】
2011139915.tif 000012
【図１１】
2011139915.tif 000013
【図１２】
2011139915.tif 000014
【図１３】
2011139915.tif 000015
【図１４】
2011139915.tif 000016
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
遊技盤の取り付け孔に嵌合して装着された入賞手段を備え、該入賞手段は前記遊技盤の前側の入賞口から入賞した遊技球を前記遊技盤の裏側に案内する案内通路を、前記取り付け孔の周壁の下部側に近接して備えた弾球遊技機において、前記案内通路はその少なくとも後部側に遊技球を案内する左右一対の案内レールを備え、該各案内レールは前記案内通路の左右両側から起立する側壁部を有し、前記案内レール間の前記取り付け孔の後部側に上下に開放状の開放部を設けたことを特徴とする弾球遊技機。
【手続補正２】
【補正対象書類名】明細書
【補正対象項目名】０００７
【補正方法】変更
【補正の内容】
【０００７】
本発明は、このような問題点に鑑み、簡単な構造で入賞手段全体の上下方向の寸法を小型化できる弾球遊技機を提供することを目的とする。
【手続補正３】
【補正対象書類名】明細書
【補正対象項目名】０００８
【補正方法】変更
【補正の内容】
【０００８】
本発明は、遊技盤の取り付け孔に嵌合して装着された入賞手段を備え、該入賞手段は前記遊技盤の前側の入賞口から入賞した遊技球を前記遊技盤の裏側に案内する案内通路を、前記取り付け孔の周壁の下部側に近接して備えた弾球遊技機において、前記案内通路はその少なくとも後部側に遊技球を案内する左右一対の案内レールを備え、該各案内レールは前記案内通路の左右両側から起立する側壁部を有し、前記案内レール間の前記取り付け孔の後部側に上下に開放状の開放部を設けたものである。
【手続補正４】
【補正対象書類名】明細書
【補正対象項目名】０００９
【補正方法】変更
【補正の内容】
【０００９】
本発明によれば、簡単な構造で入賞手段全体の上下方向の寸法を小型化できる利点がある。